(57)【特許請求の範囲】
【請求項１】
二次元配列された複数個の光電変換素子を備えた光電変換基板と、前記光電変換基板の出力信号を処理する電気回路基板とを筺体内部に備えた可搬型Ｘ線平面撮像装置において、
前記筺体の対向する辺に少なくとも一つずつ配置された、前記可搬型Ｘ線平面撮像装置を移動又は配置するためのハンドルと、
前記ハンドルを前記筺体に収容する収容機構とを有し、
前記収容機構は、前記可搬型Ｘ線平面撮像装置のＸ線撮影有効面に沿って前記ハンドルをスライドさせるスライド機構を含み、前記ハンドルが前記筺体の外側に突出した状態から前記筺体の内側へ収容された状態にすることができるように構成されていることを特徴とする可搬型Ｘ線平面撮像装置。
【請求項２】
二次元配列された複数個の光電変換素子を備えた光電変換基板と、前記光電変換基板の出力信号を処理する電気回路基板とを筺体内部に備えた可搬型Ｘ線平面撮像装置において、
前記筺体の対向する辺に少なくとも一つずつ配置された、前記可搬型Ｘ線平面撮像装置を移動又は配置するためのハンドルを有し、
前記ハンドルは、取っ手と、前記取っ手と前記筺体とを結合する基部とを含み、前記基部には、前記可搬型Ｘ線平面撮像装置に関する情報を表示する表示装置が配置されていることを特徴とする可搬型Ｘ線平面撮像装置。
【請求項３】
前記取っ手には、前記可搬型Ｘ線平面撮像装置からＸ線装置へ信号を発信するスイッチが配置されていることを特徴とする請求項２に記載の可搬型Ｘ線平面撮像装置。
【請求項４】
前記表示装置が、装置状況、電気信号の状態、Ｘ線光源の設定状況のうち少なくとも一つを表示することを特徴とする請求項２に記載の可搬型Ｘ線平面撮像装置。
【発明の詳細な説明】
【０００１】
【発明の属する技術分野】
本発明は、可搬型Ｘ線平面撮像装置に関する。
【０００２】
【従来の技術】
従来、可搬型Ｘ線平面撮像装置として、銀塩写真フイルムとＸ線を可視光線に変換する蛍光体とを組み合わせ、これらをカセットホルダに収納した、いわゆるスクリーンフイルムの可搬型Ｘ線平面撮像装置がある。図９は従来例の可搬型Ｘ線平面撮像装置の外観を示す斜視図である。図中９１はＸ線撮影有効面、９２はＸ線撮像装置フレームである。
【０００３】
しかしながら、近年になり、水素化アモルファスシリコン（以下ａ−Ｓｉと記す）に代表される光電変換半導体材料の開発により、光電変換素子及び信号処理部を大面積の基板に形成し、情報源と等倍の光学系で読み取る密着型センサの開発が進んでいる。特にａ−Ｓｉは、光電変換材料としてだけでなく、薄膜電界効果型トランジスタ（以下ＴＦＴと記す）の半導体材料としても用いることができるので、光電変換半導体層とＴＦＴの半導体層と同時に形成することができる利点を有している。
【０００４】
更に、前記光電変換半導体層とＴＦＴの半導体層とを同時に形成した大面積の光電変換基板を駆動させる電気回路基板を、前記光電変換基板の周辺に構成し、Ｘ線を可視光に波長変換する材料を組み合わせて形成された蛍光板を組み込んで構成した大面積のＸ線平面撮像装置がある。ところが、こうした大面積の可搬型Ｘ線平面撮像装置は、年々開発が進むにつれて、薄型化、軽量化が進んでいるが、この種の可搬型Ｘ線平面撮像装置のＸ線撮影有効面積は年々大面積化している。
【０００５】
【発明が解決しようとする課題】
しかしながら、上述した従来例においては次のような問題点があった。
【０００６】
可搬型Ｘ線平面撮像装置は、上述したように、年々開発が進むにつれて、薄型化、軽量化が進んでいるが、Ｘ線撮影有効面積は年々大面積化しており、薄型、軽量という利点はあるが、大面積の可搬型Ｘ線平面撮像装置の取り扱い性の面で課題があった。
【０００７】
即ち、可搬型Ｘ線平面撮像装置の持ち運びや、Ｘ線装置に対する可搬型Ｘ線平面撮像装置の脱着時の可搬型Ｘ線平面撮像装置の取り扱い性の面で問題があった。しかも、こればかりでなく、可搬型Ｘ線平面撮像装置を、例えばベッドに寝たきり状態での患者とベッドの間へ挿入する際に、患者にかかる負担を最小限にするためには、Ｘ線平面撮像装置を薄型化することが必要であり、また、放射線技師や看護婦等にかかる負担を低減するためには、Ｘ線平面撮像装置を軽量化することが必要である。しかし、Ｘ線撮影有効面積が大きくなればなるほど、可搬型Ｘ線平面撮像装置の利用は便利になるが、可搬型Ｘ線平面撮像装置のＸ線撮影有効面積は大面積であるため、取り扱い性の面で不便であった。
【０００８】
本発明の目的は、患者とベッドの間へのＸ線撮像装置の挿入及び配置時において、患者の移動を少なくし、患者にかかる負担を最小限に抑えると共に、取り扱い性を向上させた可搬型Ｘ線平面撮像装置、取り扱い方法、情報表示方法、及び信号発信方法を提供するものである。
【０００９】
【課題を解決するための手段】
本発明の第１の側面は、二次元配列された複数個の光電変換素子を備えた光電変換基板と、前記光電変換基板の出力信号を処理する電気回路基板とを筺体内部に備えた可搬型Ｘ線平面撮像装置において、前記筺体の対向する辺に少なくとも一つずつ配置された、前記可搬型Ｘ線平面撮像装置を移動又は配置するためのハンドルと、前記ハンドルを前記筺体に収容する収容機構とを有し、前記収容機構は、前記可搬型Ｘ線平面撮像装置のＸ線撮影有効面に沿って前記ハンドルをスライドさせるスライド機構を含み、前記ハンドルが前記筺体の外側に突出した状態から前記筺体の内側へ収容された状態にすることができるように構成されていることを特徴とする。
本発明の第２の側面は、二次元配列された複数個の光電変換素子を備えた光電変換基板と、前記光電変換基板の出力信号を処理する電気回路基板とを筺体内部に備えた可搬型Ｘ線平面撮像装置において、前記筺体の対向する辺に少なくとも一つずつ配置された、前記可搬型Ｘ線平面撮像装置を移動又は配置するためのハンドルを有し、前記ハンドルは、取っ手と、前記取っ手と前記筺体とを結合する基部とを含み、前記基部には、前記可搬型Ｘ線平面撮像装置に関する情報を表示する表示装置が配置されていることを特徴とする。
【００１４】
【発明の実施の形態】
［第１実施形態］
次に、本発明の第１実施形態について図面を参照して詳細に説明する。
【００１５】
（１）構成の説明
図１は本発明の第１実施形態の可搬型Ｘ線平面撮像装置の外観を示す斜視図、図２（ａ）は可搬型Ｘ線平面撮像装置の平面図、図２（ｂ）は可搬型Ｘ線平面撮像装置の側面図である。可搬型Ｘ線平面撮像装置は、薄型化されると共に軽量化されており、大面積のＸ線撮影有効面１を備えたＸ線撮像装置フレーム２と、一対のハンドル３と、ケーブル４とを具備している。
【００１６】
Ｘ線撮像装置フレーム２の内部には、光電変換基板、蛍光板、電気回路基板、電気配線部材（以上図示略）等が収納されている。Ｘ線撮像装置フレーム２の一方の面には、Ｘ線撮影有効面１が配設されており、また、Ｘ線撮像装置フレーム２の両側の周壁部には、一対のハンドル３が装着されている。ここで、ハンドルとは、可搬型Ｘ線平面撮像装置を所定の場所へ移動したり所定の場所へ配置したりするときに、可搬型Ｘ線平面撮像装置のハンドリングを容易に行うことができるような個所のことであり、図１及び図２に示すような、Ｘ線撮像装置フレーム２の外側へ突出している構造も含め、ハンドリングを行うことができる個所すべてをハンドルと称している。更に、Ｘ線撮像装置フレーム２の他の周壁部には、ケーブル４が装着されている。ケーブル４は、前記電気回路基板に接続されると共に、外部のＸ線装置（図示略）の画像処理回路へ接続される。
【００１７】
可搬型Ｘ線撮像装置は、Ｘ線撮像装置フレーム２の内部に、複数個の光電変換素子及び薄膜トランジスタが二次元的に等間隔で配列された光電変換基板と、該光電変換基板の出力信号を処理する電気回路基板とを備えている。即ち、可搬型Ｘ線撮像装置は、ガラス基板上に薄膜半導体プロセスによって作製された光電変換基板上に蛍光板を搭載し、ガラス基板からなる前記光電変換基板をフレーム部材の平面上に固定すると共に、電気回路基板等をフレーム部材に固定し、これらの構成要素を外装カバーで覆った構造となっている。
【００１８】
可搬型Ｘ線撮像装置において、Ｘ線撮像装置フレーム２のＸ線撮影有効面１を介して光電変換基板側から入射されたＸ線は、蛍光板により可視光線に波長変換された後、光電変換基板に入射され、光電変換基板において光電変換され、更に、電気回路基板で電気信号に変換され、ケーブル４を経由して外部のＸ線装置の画像処理回路に転送される。
【００１９】
（２）動作の説明
次に、本発明の第１実施形態の動作について図１〜図２を参照して詳細に説明する。
【００２０】
上記従来例で説明したように、可搬型Ｘ線平面撮像装置は、年々開発が進むにつれて、薄型化、軽量化が更に進展し、より薄型且つより軽量で大面積の可搬型Ｘ線平面撮像装置が開発されており、そのＸ線撮影有効面積は年々更に大面積化している。薄型且つ軽量で大面積の可搬型Ｘ線平面撮像装置については、その可搬性や取り扱い性のみならず、可搬型Ｘ線平面撮像装置をベッドに寝たきり状態の患者とベッドの間へ挿入する際に、患者にかかる負担を最小限にするためには、可搬型Ｘ線平面撮像装置を更に薄型化することが必要である。
【００２１】
また、可搬型Ｘ線平面撮像装置を放射線技師や看護婦等が扱いやすくするためには、軽量化を図るだけでなく、Ｘ線撮影有効面積が大面積であるがゆえに、可搬型Ｘ線平面撮像装置を患者とベッドの間へ挿入する際に患者の移動を少なくするため、挿入側のハンドルと引き手側のハンドルの２個所のハンドルが必要となる。
【００２２】
そこで、本発明の第１実施形態では、薄型化されると共に軽量化され、且つ大面積のＸ線撮影有効面１を有する可搬型Ｘ線平面撮像装置において、Ｘ線撮像装置フレーム２における対向する周壁部に少なくとも一対のハンドル３を設けることにより、患者とベッドの間への可搬型Ｘ線平面撮像装置の挿入及び配置時において、患者の移動を少なくすることができると共に、患者にかかる負担を最小限に抑えることができる。また、医師、放射線技師、看護婦等による可搬型Ｘ線平面撮像装置の取り扱い性を向上させることができる。
【００２３】
［第２実施形態］
次に、本発明の第２実施形態について図面を参照して詳細に説明する。
【００２４】
（１）構成の説明
図３（ａ）は本発明の第２実施形態の可搬型Ｘ線平面撮像装置の平面図、（ｂ）は側面図である。可搬型Ｘ線平面撮像装置は、薄型化されると共に軽量化されており、大面積のＸ線撮影有効面３１を備えたＸ線撮像装置フレーム３２と、一対のハンドル３３とを具備している。
【００２５】
Ｘ線撮像装置フレーム３２の内部には、光電変換基板、蛍光板、電気回路基板、電気配線部材（以上図示略）等が収納されている。Ｘ線撮像装置フレーム３２の一方の面には、Ｘ線撮影有効面３１が配設されており、また、Ｘ線撮像装置フレーム３２の両側の周壁部には、一対のハンドル３３が装着されている。一対のハンドル３３は、それぞれ、Ｘ線撮像装置フレーム３２の内部に対し収納可能に構成されている。ハンドル３３の収納機構としては、ハンドル３３をフレーム３２に対し進退自在にスライドさせるスライド機構、ハンドル３３の取っ手と一対の基部とを連鎖構造とし取っ手をフレーム３２側へ押し込むことで両者を収納するリンク機構など、各種機構が想定可能である。尚、Ｘ線撮像装置フレーム３２に付設されているケーブルの図示は省略する。
【００２６】
（２）動作の説明
次に、本発明の第２実施形態の動作について図３を参照して詳細に説明する。
【００２７】
可搬型Ｘ線平面撮像装置は、Ｘ線撮影有効面積が大面積であるがゆえに、可搬型Ｘ線平面撮像装置をベッドに寝たきり状態での患者とベッドの間へ挿入する際に、患者の移動を少なくするためには、挿入側のハンドルと引き手側のハンドルの２個所のハンドルが必要となる。しかし、可搬型Ｘ線平面撮像装置を被写体である患者とベッドの間に挿入し配置が終了した後は、ハンドルは不要となり、また、患者に対し突起物であるハンドルの接触という点を考慮すれば、ハンドルは無用となる。
【００２８】
そこで、本発明の第２実施形態では、薄型化されると共に軽量化され、且つ大面積のＸ線撮影有効面３１を有する可搬型Ｘ線平面撮像装置において、Ｘ線撮像装置フレーム３２における対向する周壁部に少なくとも一対のハンドル３３を設けると共に、可搬型Ｘ線平面撮像装置を患者とベッドの間へ挿入し配置が終了した後は、一対のハンドル３３をＸ線撮像装置フレーム３２の内部へ収納することにより、患者とベッドの間への可搬型Ｘ線平面撮像装置の挿入及び配置時において、患者の移動を少なくすることができると共に、患者にかかる負担を最小限に抑えることができる。また、医師、放射線技師、看護婦等による可搬型Ｘ線平面撮像装置の取り扱い性を向上させることができる。
【００２９】
［第３実施形態］
次に、本発明の第３実施形態について図面を参照して詳細に説明する。
【００３０】
（１）構成の説明
図４（ａ）は本発明の第３実施形態の可搬型Ｘ線平面撮像装置の平面図、（ｂ）は側面図である。可搬型Ｘ線平面撮像装置は、薄型化されると共に軽量化されており、大面積のＸ線撮影有効面４１を備えたＸ線撮像装置フレーム４２と、一対のハンドル４３とを具備している。
【００３１】
Ｘ線撮像装置フレーム４２の内部には、光電変換基板、蛍光板、電気回路基板、電気配線部材（以上図示略）等が収納されている。Ｘ線撮像装置フレーム４２の一方の面には、Ｘ線撮影有効面４１が配設されており、また、Ｘ線撮像装置フレーム４２の両側の周壁部には、それぞれ、取っ手４３ａ及び基部４３ｂを備えた一対のハンドル４３が装着されている。
【００３２】
一対のハンドル４３は、それぞれ、取っ手４３ａが基部４３ｂに対し図中矢印方向へ折り曲げ自在に構成されている。ハンドル４３の折り曲げ時には、取っ手４３ａ及び基部４３ｂがＸ線撮像装置フレーム４２の周壁部に一体化された状態となるように構成されている。図４は片側のハンドル４３のみ折り曲げた状態を示している。尚、Ｘ線撮像装置フレーム４２に付設されているケーブルの図示は省略する。
【００３３】
（２）動作の説明
次に、本発明の第３実施形態の動作について図４を参照して詳細に説明する。
【００３４】
可搬型Ｘ線平面撮像装置は、Ｘ線撮影有効面積が大面積であるがゆえに、可搬型Ｘ線平面撮像装置をベッドに寝たきり状態での患者とベッドの間へ挿入する際に、患者の移動を少なくするためには、挿入側のハンドルと引き手側のハンドルの２個所のハンドルが必要となる。しかし、可搬型Ｘ線平面撮像装置を被写体である患者とベッドの間に挿入し配置が終了した後は、ハンドルは不要となり、また、患者に対し突起物であるハンドルの接触という点を考慮すれば、ハンドルは無用となる。
【００３５】
そこで、本発明の第３実施形態では、薄型化されると共に軽量化され、且つ大面積のＸ線撮影有効面４１を有する可搬型Ｘ線平面撮像装置において、Ｘ線撮像装置フレーム４２における対向する周壁部に少なくとも一対のハンドル４３を設けると共に、可搬型Ｘ線平面撮像装置を患者とベッドの間へ挿入し配置が終了した後は、一対のハンドル４３を取っ手４３ａの部分から折り曲げ、ハンドル４３をＸ線撮像装置フレーム４２の周壁部に対し一体化した状態とすることにより、患者とベッドの間への可搬型Ｘ線平面撮像装置の挿入及び配置時において、患者の移動を少なくすることができると共に、患者にかかる負担を最小限に抑えることができる。また、医師、放射線技師、看護婦等による可搬型Ｘ線平面撮像装置の取り扱い性を向上させることができる。
【００３６】
［第４実施形態］
次に、本発明の第４実施形態について図面を参照して詳細に説明する。
【００３７】
（１）構成の説明
図５（ａ）は本発明の第４実施形態の可搬型Ｘ線平面撮像装置の平面図、（ｂ）は側面図である。可搬型Ｘ線平面撮像装置は、薄型化されると共に軽量化されており、大面積のＸ線撮影有効面５１を備えたＸ線撮像装置フレーム５２と、一対のハンドル５３とを具備している。
【００３８】
Ｘ線撮像装置フレーム５２の内部には、光電変換基板、蛍光板、電気回路基板、電気配線部材（以上図示略）等が収納されている。Ｘ線撮像装置フレーム５２の一方の面には、Ｘ線撮影有効面５１が配設されており、また、Ｘ線撮像装置フレーム５２の両側の周壁部には、一対のハンドル５３が装着されている。一対のハンドル５３の内部には、それぞれ、内部収納エリア５４が配設されている。
【００３９】
一対のハンドル５３の内部収納エリア５４には、可搬型Ｘ線平面撮像装置の電気回路、内部配線のケーブル、可搬型Ｘ線平面撮像装置の患者に対する配置終了後に配置完了信号をＸ線装置（図示略）に発信するスイッチが収納されている。即ち、一対のハンドル５３におけるスペースを利用して、前記電気系統を収納する内部収納エリア５４を設けることにより、可搬型Ｘ線平面撮像装置全体をコンパクト化した構成となっている。尚、Ｘ線撮像装置フレーム５２に付設されているケーブルの図示は省略する。
【００４０】
（２）動作の説明
次に、本発明の第４実施形態の動作について図５を参照して詳細に説明する。
【００４１】
可搬型Ｘ線平面撮像装置には、電気回路、内部配線ケーブル、スイッチ等の電気系統を装備することが必要であるが、可搬型Ｘ線平面撮像装置は、薄型化される傾向にあるため、前記電気系統を収納するスペースの確保が重要となる。
【００４２】
そこで、本発明の第４実施形態では、薄型化されると共に軽量化され、且つ大面積のＸ線撮影有効面５１を有する可搬型Ｘ線平面撮像装置において、一対のハンドル５３におけるスペースを利用することで、即ち、ハンドル５３の内部収納エリア５４に、可搬型Ｘ線平面撮像装置の電気回路、内部配線ケーブル、可搬型Ｘ線平面撮像装置の配置完了信号をＸ線装置に発信するスイッチを収納することにより、装置全体をコンパクト化することができる。
【００４３】
［第５実施形態］
次に、本発明の第５実施形態について図面を参照して詳細に説明する。
【００４４】
（１）構成の説明
図６（ａ）は本発明の第５実施形態の可搬型Ｘ線平面撮像装置の平面図、（ｂ）は側面図である。可搬型Ｘ線平面撮像装置は、薄型化されると共に軽量化されており、大面積のＸ線撮影有効面６１を備えたＸ線撮像装置フレーム６２と、一対のハンドル６３とを具備している。
【００４５】
Ｘ線撮像装置フレーム６２の内部には、光電変換基板、蛍光板、電気回路基板、電気配線部材（以上図示略）等が収納されている。Ｘ線撮像装置フレーム６２の一方の面には、Ｘ線撮影有効面６１が配設されており、また、Ｘ線撮像装置フレーム６２の両側の周壁部には、一対のハンドル６３が装着されている。一対のハンドル６３の内部には、それぞれ、内部収納エリア（図示略）が配設されている。更に、一対のハンドル６３の取っ手部分の両側には、それぞれ、外部部品取り付け部６４が配設されている。
【００４６】
内部収納エリアには、可搬型Ｘ線平面撮像装置の電気回路、内部配線のケーブル、可搬型Ｘ線平面撮像装置の患者に対する配置終了後に配置完了信号をＸ線装置（図示略）に発信するスイッチが収納されている。また、外部部品取り付け部６４には、可搬型Ｘ線平面撮像装置の装置状況、電気信号の状態、Ｘ線光源の設定状況などの情報を、文字情報として例えば液晶表示するディスプレイ等が配置されている。即ち、一対のハンドル６３におけるスペースを利用して、内部収納エリアと外部部品取り付け部６４を設けることにより、可搬型Ｘ線平面撮像装置全体をコンパクト化すると共に、放射線技師、看護婦、医師等の撮影者が可搬型Ｘ線平面撮像装置に関する情報を確認できるように構成されている。尚、Ｘ線撮像装置フレーム６２に付設されているケーブルの図示は省略する。
【００４７】
図７は、図６に示した可搬型Ｘ線平面撮像装置のハンドル近辺の具体的な配置例を示す概略図である。ハンドル７１は、取っ手７１ａと基部７１ｂから構成されており、基部７１ｂには、前記文字情報を液晶表示するディスプレイ７２等が配置されている。
【００４８】
図８は、図６に示した可搬型Ｘ線平面撮像装置のハンドル近辺の、変形例による具体的な配置例を示す概略図である。ハンドル８１は、取っ手８１ａと基部８１ｂから構成されており、基部８１ｂには、前記文字情報を液晶表示するディスプレイ７２等が配置され、更に、取っ手８１ａには、可搬型Ｘ線平面撮像装置の配置完了後にＸ線装置（図示略）に配置完了信号を発信するスイッチ８３が装着されている。
【００４９】
（２）動作の説明
次に、本発明の第５実施形態の動作について図６〜図８を参照して詳細に説明する。
【００５０】
可搬型Ｘ線平面撮像装置には、電気回路、内部配線ケーブル、スイッチ等の電気系統を装備することが必要であるが、可搬型Ｘ線平面撮像装置は、薄型化される傾向にあるため、前記電気系統を収納するスペースの確保が重要となる。また、可搬型Ｘ線平面撮像装置の状況等を放射線技師、看護婦、医師等が確認可能に表示できれば便利である。
【００５１】
そこで、本発明の第５実施形態では、薄型化されると共に軽量化され、且つ大面積のＸ線撮影有効面６１を有する可搬型Ｘ線平面撮像装置において、一対のハンドル６３におけるスペースを利用することで、即ち、ハンドル６３の内部収納エリアに、可搬型Ｘ線平面撮像装置の電気回路、内部配線のケーブル、装置の配置完了信号をＸ線装置に発信するスイッチを収納することにより、装置全体をコンパクト化することができる。
【００５２】
また、ハンドル６３の取っ手部分の両側に配設された外部部品取り付け部６４に、可搬型Ｘ線平面撮像装置の装置状況、電気信号の状態、Ｘ線光源の設定状況などを文字情報として表示するディスプレイ等を配置することにより、放射線技師、看護婦、医師等の取扱者は、可搬型Ｘ線平面撮像装置に関する情報を的確に確認することができる。
【００５３】
また、変形例に示したように、ハンドル８１の取っ手８１ａに、可搬型Ｘ線平面撮像装置の配置完了後にＸ線装置（図示略）に配置完了信号を発信するスイッチ８３を装着することにより、放射線技師、看護婦、医師等の取扱者は、可搬型Ｘ線平面撮像装置の配置が完了した時点で、スイッチ操作により即座に、Ｘ線装置へ配置完了信号を発信することができるため、効率的なＸ線撮影が可能となる。
【００５４】
【発明の効果】
以上説明したように、本発明によれば、可搬型Ｘ線平面撮像装置において、当該装置を移動又は配置するためのハンドルを、筺体の対向する辺に少なくとも一つずつ配設したので、患者とベッドの間への可搬型Ｘ線平面撮像装置の挿入及び配置時において、患者の移動を少なくすることができると共に、患者にかかる負担を最小限に抑えることができる。また、医師、放射線技師、看護婦等による可搬型Ｘ線平面撮像装置の取り扱い性を向上させることができる。
【００５５】
また、ハンドルを筺体に対し収納可能に構成、或いは、ハンドルを少なくとも二つの部材に折り曲げ可能に構成すると共に、各部材を折り曲げた状態において筺体に対し一体化可能に構成したので、可搬型Ｘ線平面撮像装置の被写体に対する配置完了後はハンドルを折り曲げることで、被写体である患者に対し突起物であるハンドルの接触を最小限に抑えることができ、患者にかかる負担を最小限に抑えることができる。
【００５６】
また、ハンドルの内部に電気回路を含む電気系統を収納、或いは、ハンドルの内部に電気回路を含む電気系統を収納すると共に、ハンドルの外側部分に部品取り付け部を配設したので、可搬型Ｘ線平面撮像装置全体をコンパクト化することができる。
【００５７】
また、ハンドルの部品取り付け部に可搬型Ｘ線平面撮像装置に関する情報を表示する表示装置を取り付けたので、放射線技師、看護婦、医師等の取扱者は、可搬型Ｘ線平面撮像装置に関する情報を的確に確認することができる。
【００５８】
また、ハンドルの外側部分に可搬型Ｘ線平面撮像装置からＸ線装置へ信号を発信するスイッチを配設したので、放射線技師、看護婦、医師等の取扱者は、可搬型Ｘ線平面撮像装置の配置が完了した時点で、スイッチ操作により即座に、Ｘ線装置へ配置完了信号を発信することができるため、効率的なＸ線撮影が可能となる。
【図面の簡単な説明】
【図１】本発明の第１実施形態の可搬型Ｘ線平面撮像装置の外観を示す斜視図である。
【図２】（ａ）は本発明の第１実施形態の可搬型Ｘ線平面撮像装置の平面図、（ｂ）は側面図である。
【図３】（ａ）は本発明の第２実施形態の可搬型Ｘ線平面撮像装置の平面図、（ｂ）は側面図である。
【図４】（ａ）は本発明の第３実施形態の可搬型Ｘ線平面撮像装置の平面図、（ｂ）は側面図である。
【図５】（ａ）は本発明の第４実施形態の可搬型Ｘ線平面撮像装置の平面図、（ｂ）は側面図である。
【図６】（ａ）は本発明の第５実施形態の可搬型Ｘ線平面撮像装置の平面図、（ｂ）は側面図である。
【図７】本発明の第５実施形態の可搬型Ｘ線平面撮像装置のハンドル近辺の具体的な配置例を示す概略図である。
【図８】本発明の第５実施形態の変形例の可搬型Ｘ線平面撮像装置のハンドル近辺の具体的な配置例を示す概略図である。
【図９】従来例の可搬型Ｘ線平面撮像装置の外観を示す斜視図である。
【符号の説明】
１、３１、４１、５１、６１  Ｘ線撮影有効面
２、３２、４２、５２、６２、７０、８０  Ｘ線撮像装置フレーム
３、３３、４３、５３、６３、７１、８１  ハンドル
４  ケーブル
５４  内部収納エリア
６４  外部部品取り付け部
７２、８２  ディスプレイ
８３  スイッチ
【図１】
0004717272.tif 000002
【図２】
0004717272.tif 000003
【図３】
0004717272.tif 000004
【図４】
0004717272.tif 000005
【図５】
0004717272.tif 000006
【図６】
0004717272.tif 000007
【図７】
0004717272.tif 000008
【図８】
0004717272.tif 000009
【図９】
0004717272.tif 000010